(57)【要約】【課題】  接着剤、ステープル或いは粘着テープ等を使用せずに簡単な操作で容易に組み立て可能で、しかもフラップの係合を確実に維持することが出来るようにする。【解決手段】  上外フラップ６、６の中央部８、８を残してその両側部９、９を低くし、上内フラップ７、７に縦方向に並行に切込み線を入れて、上掛けフラップ１０、１０を切り出している。箱体の上面で上内フラップ７、７の上に上外フラップ６、６を重ねたとき、前記上掛けフラップ１０、１０が前記上外フラップ６、６の両側部９、９の間に位置するようにすると共に、この上掛けフラップ１０、１０の先端縁が上外フラップ６、６の中央部８、８の両側辺部と重なる。箱体の上面で上内フラップ７、７の上に上外フラップ６、６を重ねた状態で、上内フラップ７、７の上掛けフラップ１０、１０の先端部を上外フラップ６、６の中央部８、８の両側辺部の上に起こして重ねて係合する。【選択図】    図４
2005029221.tif 000002
【特許請求の範囲】
【請求項１】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）と端パネル（２）、（２）の上辺の折線から箱の上面を閉じる上外フラップ（６）、（６）と上内フラップ（７）、（７）とがそれぞれ延設され、上内フラップ（７）、（７）を箱の内側に折り曲げた後、その外側に上外フラップ（６）、（６）を折り曲げて重ねて箱の上面を閉じる包装用箱において、上外フラップ（６）、（６）の中央部（８）、（８）を残してその両側部（９）、（９）を低くし、上内フラップ（７）、（７）に縦方向に２本の切込み線を入れて、上掛けフラップ（１０）、（１０）を切り出し、箱体の上面で上内フラップ（７）、（７）の上に上外フラップ（６）、（６）を重ねたとき、前記上掛けフラップ（１０）、（１０）が前記上外フラップ（６）、（６）の両側部（９）、（９）の間に位置すると共に、上外フラップ（６）、（６）の中央部（８）、（８）の両側辺部が上掛けフラップ（１０）、（１０）の先端縁と重なることを特徴とする包装用箱。
【請求項２】
箱体の上面で上内フラップ（７）、（７）の上に上外フラップ（６）、（６）を重ねた状態で、上内フラップ（７）、（７）の上掛けフラップ（１０）、（１０）の先端部を上外フラップ（６）、（６）の中央部（８）、（８）の両側辺部の上に起こして重ねて係合したことを特徴とする請求項１に記載の包装用箱。
【発明の詳細な説明】
【技術分野】
【０００１】
本発明は、段ボール板等のブランクを折り曲げて作る箱状の包装用箱に関し、特に折り畳んだ状態から接着剤、ステープル或いは粘着テープ等を使用せずに簡単に箱状の容器を組み立てることができ、また箱状の容器から収納物を取り出した後は、簡単に二重に折り畳むことができ、そのため通い箱等として利用して好適な包装用箱に関する。
【背景技術】
【０００２】
従来最も一般的な包装容器の一つとして、段ボール板等のブランクを折り曲げて作る箱状の包装用箱がある。例えば、ブランクを縦に平行な４本の折れ線で同じ方向に順次折り曲げ、その両端縁を接着やステープル止めすることにより、四角筒状の胴部を形成し、この胴部の下辺から延設した底フラップを内側に折り曲げて箱の下面と閉じ、胴部の上辺から延設した上フラップを内側に折り曲げて箱の上面を閉じる。
【０００３】
このような包装用箱では、箱の底面を閉じた状態で箱の内部に収納物を収納し、その後箱の上面を閉じる。箱の底面は、接着剤、ステープル或いは粘着テープ等を使用して収納物の重量に耐えることができるようにしっかりと閉じる。また、上面は搬送中に簡単に開かないようにやはり前記の接着剤、ステープル、粘着テープ或いは他の適宜の手段によって閉じる。
【０００４】
大半の段ボール箱は、収納物である物品を搬送した後、収納先で分解され、廃棄されるかまたはリサイクル業者に回収される。今日、段ボールのリサイクル化が図られると共に、古紙原紙の価格が比較的高値に推移している経済的背景もあって、リサイクルされる段ボール箱の割合は、８０％を越えており、相当の割合の使用済み段ボール箱がリサイクルされている。しかしなおリサイクル率は１００％には至っていない。
【０００５】
段ボール箱のブランクとなる段ボール板は、木材パルプから作られる紙を使用した製品であり、さらにその省資源化が要請されている。段ボールのリサイクルには、リサイクル工場等の設備を必要とし、その設備によるリサイクル処理を要するため、リサイクルコストの低減が課題となる。
【０００６】
段ボール箱の省資源化のために古くから用いられている形態として、いわゆる通い箱がある。これは、段ボール箱を収納物の搬送元とその搬送先とで往復して繰り返す使用する形態である。この通い箱は、物品を取り出した後の段ボール箱の保管や送り返す時の収納効率や搬送効率を高めるため、空の段ボール箱を容易に折り畳めるようにすることが必要である。
【０００７】
いわゆる通い箱において最も問題となる課題が箱を閉じる手段である。前述のように、段ボール箱では、一般的にフラップを接着剤、ステープル或いは粘着テープ等で連結する手段がとられる。しかし、接着剤、ステープル或いは粘着テープでフラップを止める手段では、段ボール箱を開封し、折り畳む度に接着剤、ステープル或いは粘着テープを取った部分が劣化し、次第にフラップの縁の強度が低下するという問題がある。
【０００８】
そこで、通い箱では、接着剤、ステープル或いは粘着テープを使わず、箱のフラップに連結機能を持たせ、これを係合したり解除したりして箱を開閉する手段がとられている。このようにフラップに連結機能を持たせ、これを係合したり解除したりして箱を開閉するようにした箱は従来も多くのものが提案され、開発されている。
【特許文献１】特開２００２−２３４５２５号公報
【特許文献２】特開２００２−１２０８２２号公報
【発明の開示】
【発明が解決しようとする課題】
【０００９】
前記のような包装用箱は、箱の上面等を閉じるフラップを係合したり、その係合を解除する手順が複雑なものが多く、手際よく箱の開閉を行うのに或る程度の慣れが必要である。また、慣れても箱の上面を閉じる作業時間を短くするには限度がある。野菜や果物等の青果物の出荷場では、多量の箱を取り扱うことが多く、出来るだけ簡単に開閉出来る包装用箱が望まれている。
一方で、簡単にフラップの係合が行えても、簡単にその係合が外れてしまうと、搬送時に箱が開いてしまう等の不都合が生じる。
【００１０】
本発明は、前記のような従来の段ボール箱等の包装用箱の課題に鑑み、通い箱等として接着剤、ステープル或いは粘着テープ等を使用せずに簡単な操作で容易に組み立てることが可能で、しかもフラップの係合を確実に維持することが可能な包装用箱を提供することを目的とする。
【課題を解決するための手段】
【００１１】
本発明では、前記の目的を達成するため、箱体の上面を閉じる上外フラップ６、６の中央部８、８を残してその両側部９、９を低くする一方で、上内フラップ７、７の中央部を縦に２本の切り込み線を入れて上掛けフラップ１０、１０を切り出し、箱体の上面で上内フラップ７、７の上に上外フラップ６、６を重ねた状態で、上掛けフラップ１０、１０の先端部を上外フラップ６、６の中央部８、８の両側辺部の上に起こして重ね、この係合により箱体の上面が閉じた状態を保持出来るようにしたものである。
【００１２】
より具体的に説明すると、本発明が適用される包装用箱は、内部に収納物を収納する箱であって、その対向する一対の側面を構成する側パネル１、１と、箱の対向する一対の端面を構成する端パネル２、２とが折線を介して交互に連なり、最も端の側パネル１と端パネル２の側辺が互いに接合され、側パネル１、１と端パネル２、２の上辺の折線から箱の上面を閉じる上外フラップ６、６と上内フラップ７、７とがそれぞれ延設され、上内フラップ７、７を箱の内側に折り曲げた後、その外側に上外フラップ６、６を折り曲げて重ねて箱の上面を閉じる包装用箱である。
【００１３】
本発明でこのような包装用箱において、上外フラップ６、６の中央部８、８を残してその両側部９、９を低くし、上内フラップ７、７に縦方向に２本の切込み線を入れて、上掛けフラップ１０、１０を切り出し、箱体の上面で上内フラップ７、７の上に上外フラップ６、６を重ねたとき、前記上掛けフラップ１０、１０が前記上外フラップ６、６の両側部９、９の間に位置すると共に、上外フラップ６、６の中央部８、８の両側辺部が上掛けフラップ１０、１０の先端縁と重なるようにしたものである。
【００１４】
この包装用箱では、箱体の上面で上内フラップ７、７の上に上外フラップ６、６を重ねた状態で、上内フラップ７、７の上掛けフラップ１０、１０の先端部を上外フラップ６、６の中央部８、８の両側辺部の上に起こして重ねて係合することにより、箱体の上面を閉じた状態を維持する。
【００１５】
このような本発明による包装用箱では、上内フラップ７、７の上掛けフラップ１０、１０の先端部を上外フラップ６、６の中央部８、８の両側辺部の上に起こして重ねて係合するだけで、上内フラップ７、７と上外フラップ６、６とが交互に拘束されるので、簡単な操作で箱上面の封止が実現出来る。しかも、箱の上面のほぼ中央部における係合により、上内フラップ７、７と上外フラップ６、６とが交互に拘束されるので、特段の操作をしない限り、その拘束が容易に解除されることはない。
【００１６】
そしてこのような係合状態はから、上内フラップ７、７の上掛けフラップ１０、１０の先端部を下方に押す等して上内フラップ７、７の上掛けフラップ１０、１０の先端部と上外フラップ６、６の中央部８、８の両側辺部との係合を解除することにより、上内フラップ７、７と上外フラップ６、６との拘束を解き、容易に箱体の上面を開くことが出来る。
【発明の効果】
【００１７】
以上説明した通り、本発明による包装用箱では、接着剤、ステープル或いは粘着テープ等を使用せずに簡単な動作で容易に組み立てることが可能で、上内フラップ７、７の上掛けフラップ１０、１０の先端部が上外フラップ６、６の中央部８、８の両側辺部の上に係合し、上内フラップ７、７と上外フラップ６、６との拘束状態を維持するため、上面を閉じた状態を確実に維持することが出来る。特に、上内フラップ７、７の上掛けフラップ１０、１０の先端部を上外フラップ６、６の中央部８、８の両側辺部の上に起こすだけで素早く箱体の上面の封止が可能である。また、箱体の上面を開封するための上内フラップ７、７の上掛けフラップ１０、１０の先端部と上外フラップ６、６の中央部８、８の両側辺部との係合の解除も比較的容易である。
【発明を実施するための最良の形態】
【００１８】
本発明では、箱体の上面を閉じる上外フラップ６、６の両側部９、９を低くし、且つ上内フラップ７、７の中央部を縦に２本の切り込線を入れて上掛けフラップ１０、１０を切り出し、箱体の上面で上内フラップ７、７の上に上外フラップ６、６を重ねた状態で、上掛けフラップ１０、１０の先端部を上外フラップ６、６の中央部８、８の両側辺部の上に起こして重ねるて係合し、箱体の上面を閉じた状態に保持出来るようにした。
以下、このような本発明の実施例について、図面を参照しながら具体例を挙げて詳細に説明する。
【実施例１】
【００１９】
図１は、本発明の一実施例による一般的な包装用箱の本体のブランクの展開図である。この包装用箱のブランクは紙製の波状のシートからなる中芯をライナーでラミネートした段ボール板を使用する。段ボール板を図１に実線で示すように打ち抜くと共に、破線で示すように折れ線を入れることにより、組み立て前のブランクが出来上がる。
【００２０】
図１に示す包装用箱のブランクでは、矩形の側パネル１、１と端パネル２、２とが折れ線を介して交互に連なっている。それら側パネル１、１と端パネル２、２の高さは何れも同じであり、２つの側パネル１、１と端パネル２、２の幅はそれぞれ等しく、側パネル１、１と端パネル２、２とでは幅が異なっている。側パネル１、１と端パネル２、２の高さと幅は、その用途や収納物の大きさ等に応じて異なることは言うまでもない。
【００２１】
端にある側パネル１の側辺からは、折れ線を介して接合フラップ３が延設されており、端にある端パネル２には、そのような接合フラップは延設されていない。
側パネル１、１の下辺の折線からは、底外フラップ４、４が延設されている。この底外フラップ４、４の幅（図１において左右の寸法、以下同じ）は、側パネル１、１の幅より若干狭く、またその高さ（図１において上下の寸法、以下同じ）は、端パネル２の幅の約１／２である。
【００２２】
端パネル２、２の下辺の折れ線からは底内フラップ５、５が延設されている。この底内フラップ５、５の幅は、端パネル２、２の幅より若干狭く、またその高さは、前記底外フラップ４、４と同じである。
側パネル１、１の上辺の折線からは、上外フラップ６、６が延設されている。この上外フラップ６、６の幅は、側パネル１、１の幅より若干狭い。
【００２３】
この上外フラップ６、６は、その中央部８、８を残して、その両側にある両側部９、９が寸法ｃだけ低くなっている。この上外フラップ６、６の中央部８、８の側パネル１、１との折線からの高さは、端フラップ２、２の幅の約１／２弱である。また、この上外フラップ６、６の中央部８、８の両側縁から側パネル１、１と端パネル２、２及び接合フラップ３との折線である両側辺までの寸法は図１においてａである。この寸法ａは、次に述べる上内フラップ７、７の上掛けフラップ１０、１０の高さｂよりやや小さい。
なお、図１において前記中央部８、８の両側のハッチングで示した部分は、ブランクである段ボールの中芯を潰し、変形しやすくしている。
【００２４】
端パネル２、２の上辺の折線からは、上内フラップ７、７が延設されている。この上内フラップ７、７の幅は、端パネル２、２の幅より若干狭く、またその高さは、前記外上フラップ６、６と同じである。
この上内フラップ７、７の中央部には、上内フラップ７、７の先端縁から端パネル２との折線に向けて同折線に対して垂直に２本の切込み線が互いに並行に切り込まれ、その間が上掛けフラップ１０、１０として切り出されている。図１の上掛けフラップ１０、１０は、上内フラップ７、７の先端縁に近くなるに従って次第に幅が狭くなるような勾配が形成されている。また、上掛けフラップ１０、１０の先端縁には、半円弧凹状の指掛け部１１が切り取られている。上掛けフラップ１０、１０の端パネル２、２との折線からの高ｂは、上内フラップ７、７の全体の高さと同じである。さらにこの上掛けフラップ１０、１０の幅ｄは、前記上外フラップ６、６の中央部８、８と両側部９、９との高さの差ｃの２倍よりやや狭い。
【００２５】
このようなブランクから包装用箱は次のようにして組み立てられる。
まず、側パネル１、１、端パネル２、２及び接合フラップ３の間にある折線を何れも９０゜の角度で同じ方向に折り曲げる。さらに、接合フラップ３の外側面に糊を塗布し、この接合フラップ３の外側面を端パネル２の端縁部の内面に貼り付ける。これにより、側パネル１、１と端パネル２、２とで四角筒状の胴部が形成される。
【００２６】
次に、このようにして側パネル１、１と端パネル２、２とで四角筒状の胴部が形成された後、箱の底面を閉じる。底外フラップ４、４と底内フラップ５、５箱をどのようにして閉じて固定するかは特に限定されない。最も一般的には、底内フラップ５、５、底外フラップ４、４の順序でそれらの折線に沿って箱の底面内側に折り曲げ、それらの底内フラップ５、５、底外フラップ４、４をステープル、接着剤、粘着テープ等の固定する。
【００２７】
次に、箱を反転してその上面側を上に向ける。この状態で、開いた箱の上面から収納物を収納する。次に、箱の上面を閉じる。
まず図２に示すようにして、上内フラップ７、７を箱の上面側に約９０゜の角度で折り曲げる。次に、図３に示すように、上外フラップ６、６を箱の上面側に約９０゜の角度で折り曲げ、その両側部９、９を上内フラップ７、７の両側部分の上に重ねる。
【００２８】
既に述べた通り、上掛けフラップ１０、１０の幅ｄは、前記上外フラップ６、６の中央部８、８と両側部９、９との高さの差ｃの２倍よりやや狭いため、上外フラップ６、６を上内フラップ７、７の上に重ねた状態では、前記上掛けフラップ１０、１０が前記上外フラップ６、６の両側部９、９の間に位置し、箱体の上面から見えている。但し、上外フラップ６、６の中央部８、８の両側縁から側パネル１、１の両側の折線までの寸法ａが上内フラップ７、７の上掛けフラップ１０、１０の高さｂよりやや小さいため、上掛けフラップ１０、１０の先端縁だけが上外フラップ６、６の中央部８、８の両側辺部の下に重なる。
【００２９】
この状態で、図３に矢印で示すように、上外フラップ６、６の中央部８、８の先端側を下方に押すか、あるいは上内フラップ７、７の上掛けフラップ１０、１０の先端側を上方に引き上げることにより、上掛けフラップ１０、１０の先端側を上外フラップ６、６の中央部８、８の両側縁の上に起こし、上内フラップ７、７の上掛けフラップ１０、１０の先端縁部を上外フラップ６、６の中央部８、８の両側縁部の上に載せる。そうすると図４に示すような状態となり、上外フラップ６、６と上内フラップ７、７とがそれらの中央部８、８を上掛けフラップ１０、１０とにより相互に拘束される。これにより、箱体の上面が閉じた状態が維持される。
【００３０】
このようにして箱体の上面を閉じた状態から開く時は、図４に矢印で示すように、上外フラップ６、６の中央部８、８の先端側を上方に引き上げるか、あるいは上内フラップ７、７の上掛けフラップ１０、１０の先端側を下方に押すことにより、上掛けフラップ１０、１０の先端側を上外フラップ６、６の中央部８、８の両側縁の下に押し込む。そうすると図３に示すような状態となり、上外フラップ６、６と上内フラップ７、７の拘束が解除される。
【００３１】
なお既に述べた通り、図１において前記上外フラップ６、６の中央部８、８の両側のハッチングで示した部分がブランクである段ボールの中芯を潰し、変形しやすくなっているため、上掛け片１０を中央部８、８の両側の上に起こしたり、逆に中央部８、８の両側の下に押し込んだりするときに比較的容易となる。ハッチングで示した部分は図２でも示している。
【実施例２】
【００３２】
図５〜図８は本発明による包装用箱の他の実施例を示すもので、図５はブランクの展開図、図６と図７はその包装用箱の上面を閉じる過程の状態、図８は包装用箱の上面が閉じられた状態を示している。
この実施例の包装用箱が、前述した実施例の包装用箱と異なる点は、上内フラップ７、７の上掛け片１０、１０の先端両側に勾配を設けず、互いに並行で真っ直ぐな一対の切り込線により上掛け片１０、１０を切り出した点である。上掛け片１０、１０の先端両側に勾配を設けた方が、箱体の上面を開閉する時に、上掛け片１０、１０を上外フラップ６、６の中央部８、８の両側の上に起こしたり、中央部８、８の両側の下に押し込んだりすることが多少しにくい。他方、上外フラップ６、６と上内フラップ７、７との拘束強度は強くなる。
他の点は、前述した実施例の包装用箱と異なるところはなく、同じ部分は同じ符号で示しているので、説明を省略する。
【実施例３】
【００３３】
図９〜図１２は本発明による包装用箱の他の実施例を示すもので、図９はブランクの展開図、図１０と図１１はその包装用箱の上面を閉じる過程の状態、図１２は包装用箱の上面が閉じられた状態を示している。
この実施例の包装用箱が、前述した実施例の包装用箱と異なる点は、上内フラップ７、７の上掛け片１０、１０の先端に指掛け部が無い点である。上掛け片１０、１０の先端に指掛け部が無いと、特に箱体の上面を閉じる時に、上掛け片１０、１０を上外フラップ６、６の中央部８、８の両側の上に起こしにくい。しかし、上外フラップ６、６の中央部８、８の先端側を下方に押し込みながら上掛け片１０、１０を起こすことで、その動作には特に問題はない。
他の点は、前述した実施例の包装用箱と異なるところはなく、同じ部分は同じ符号で示しているので、説明を省略する。
【図面の簡単な説明】
【００３４】
【図１】本発明による包装用箱の一実施例を示すもので、包装用箱を組み立てるため段ボール等を裁断し、折れ線を入れた状態のブランクの展開図である。
【図２】同包装容器の実施例において、箱の上面を閉じるため、双方の上内フラップを箱の上面側に倒した状態の上面側から見た斜視図である。
【図３】同包装容器の実施例において、図２の状態からさらに一方の上外フラップを箱の上面側に倒した状態の上面側から見た斜視図である。
【図４】同包装容器の実施例において、図３の状態からさらに上内フラップの上掛け片を上外フラップの中央部の両側に起こし、箱体の上面を封止を保持した状態の上面側から見た斜視図である。
【図５】本発明による包装用箱の他の実施例を示すもので、包装用箱を組み立てるため段ボール等を裁断し、折れ線を入れた状態のブランクの展開図である。
【図６】同包装容器の実施例において、箱の上面を閉じるため、双方の上内フラップを箱の上面側に倒した状態の上面側から見た斜視図である。
【図７】同包装容器の実施例において、図２の状態からさらに一方の上外フラップを箱の上面側に倒した状態の上面側から見た斜視図である。
【図８】同包装容器の実施例において、図３の状態からさらに上内フラップの上掛け片を上外フラップの中央部の両側に起こし、箱体の上面を封止を保持した状態の上面側から見た斜視図である。
【図９】本発明による包装用箱のさらに他の実施例を示すもので、包装用箱を組み立てるため段ボール等を裁断し、折れ線を入れた状態のブランクの展開図である。
【図１０】同包装容器の実施例において、箱の上面を閉じるため、双方の上内フラップを箱の上面側に倒した状態の上面側から見た斜視図である。
【図１１】同包装容器の実施例において、図２の状態からさらに一方の上外フラップを箱の上面側に倒した状態の上面側から見た斜視図である。
【図１２】同包装容器の実施例において、図３の状態からさらに上内フラップの上掛け片を上外フラップの中央部の両側に起こし、箱体の上面を封止を保持した状態の上面側から見た斜視図である。
【符号の説明】
【００３５】
１    側パネル
２    端パネル
６    上外フラップ
７    上内フラップ
８    上外フラップの中央部
９    上内フラップの上掛け片
【図１】
2005029221.tif 000003
【図２】
2005029221.tif 000004
【図３】
2005029221.tif 000005
【図４】
2005029221.tif 000006
【図５】
2005029221.tif 000007
【図６】
2005029221.tif 000008
【図７】
2005029221.tif 000009
【図８】
2005029221.tif 000010
【図９】
2005029221.tif 000011
【図１０】
2005029221.tif 000012
【図１１】
2005029221.tif 000013
【図１２】
2005029221.tif 000014